(57)【特許請求の範囲】
【請求項１】
透明または半透明のコア層と、その表面側に設けられた第１の印刷層と、前記コア層の裏面側に設けられ、複数個のパターンから成る第２の印刷層とを備え、前記第１の印刷層及び各パターンはそれぞれ多数の同じ幅の線を幅方向に一定間隔で配置した万線または多数の同じ径の点を格子点状に配置した網点から成り、前記各パターンの万線の線または網点の点は、その幅または径が前記第１の印刷層の万線の線の幅または網点の点の径よりも小さいとともに、前記各パターンのうち一部のパターンの万線の線または網点の点が前記コア層の表面側から所定方向に視認したときに前記第１の印刷層の万線の線または網点の点と重なり合って隠蔽されるように配置されており、前記コア層の表面側からの視認方向を変化させると前記第１の印刷層の万線または網点と前記各パターンの万線または網点との重なり具合が変化して隠蔽及び視認されるパターンが変化するように成したことを特徴とする偽造防止カード。
【請求項２】
前記各パターンの万線の線または網点の点が他のパターンの万線の線または網点と一定間隔をおいて交互に配置されていることを特徴とする請求項１に記載の偽造防止カード。
【請求項３】
前記第２の印刷層が第１のパターン及び第２のパターンから成り、前記第１の印刷層、第１及び第２のパターンは万線により形成されており、前記第１のパターンが視認されるときには前記第２のパターンが隠蔽され、前記第２のパターンが視認されるときには前記第１のパターンが隠蔽されることを特徴とする請求項１または２に記載の偽造防止カード。
【請求項４】
前記第１の印刷層の万線を形成する多数の直線の幅をＷ1、直線間の間隔をＤ1とし、前記第１及び第２のパターンの万線を形成する多数の直線の幅をＷ2、直線間の間隔をＤ2としたとき、Ｗ1＝２Ｗ2、Ｄ1＝２Ｄ2であることを特徴とする請求項３に記載の偽造防止カード。
【請求項５】
前記第１の印刷層と前記第２の印刷層の厚み方向の間隔が０．２０〜０．８４ｍｍであることを特徴とする請求項１〜４のいずれか一項に記載の偽造防止カード。
【請求項６】
前記コア層の裏面側に隠蔽層が設けられ、この隠蔽層の裏面側に前記第２の印刷層が裏面印刷層と同一面内に位置するように設けられ、隠蔽層と第２の印刷層が重なる位置には、隠蔽層に透明または半透明の抜き部を設けたことを特徴とする請求項１〜５のいずれか一項に記載の偽造防止カード。
【発明の詳細な説明】
【０００１】
【発明の属する技術分野】
本発明は、クレジットカード、キャッシュカード、会員カード等として用いられ、複写機やスキャナによる偽造を効果的に防止することができるとともに安価に製造することができるように成した偽造防止カードに関するものである。
【０００２】
【従来の技術】
複写機やスキャナによる偽造を効果的に防止できるカードとしては、ホログラムによるパターンが表面に形成されたものが知られている。
【０００３】
【発明が解決しようとする課題】
しかしながら、この種のカードは材料費が高いとともに複雑な加工技術を必要とするため、製造コストが高価であるという問題点があった。
【０００４】
本発明は上述した問題点に鑑みてなされたものであって、その目的は、複写機やスキャナによる偽造を効果的に防止することができるとともに安価に製造することができるように成したカードを提供することにある。
【０００５】
【課題を解決するための手段】
上述した目的を達成するために、請求項１の発明は、透明または半透明のコア層と、その表面側に設けられた第１の印刷層と、前記コア層の裏面側に設けられ、複数個のパターンから成る第２の印刷層とを備え、前記第１の印刷層及び各パターンはそれぞれ多数の同じ幅の線を幅方向に一定間隔で配置した万線または多数の同じ径の点を格子点状に配置した網点から成り、前記各パターンの万線の線または網点の点は、その幅または径が前記第１の印刷層の万線の線の幅または網点の点の径よりも小さいとともに前記コア層の表面側から所定方向に視認したときに前記第１の印刷層の万線の線または網点の点と重なり合って隠蔽されるように配置されており、前記コア層の表面側からの視認方向を変化させると前記第１の印刷層の万線または網点と前記各パターンの万線または網点との重なり具合が変化して隠蔽及び視認されるパターンが変化するように成したことを特徴とする偽造防止カードである。
【０００６】
また、請求項２の発明は、請求項１の偽造防止カードにおいて、前記各パターンの万線の線または網点の点が他のパターンの万線の線または網点と一定間隔をおいて交互に配置されていることを特徴としている。
【０００７】
また、請求項３の発明は、請求項１または２の偽造防止カードにおいて、前記第２の印刷層が第１のパターン及び第２のパターンから成り、前記第１の印刷層、第１及び第２のパターンは万線により形成されており、前記第１のパターンが視認されるときには前記第２のパターンが隠蔽され、前記第２のパターンが視認されるときには前記第１のパターンが隠蔽されることを特徴としている。
【０００８】
また、請求項４の発明は、請求項３の偽造防止カードにおいて、前記第１の印刷層の万線を形成する多数の直線の幅をＷ1、直線間の間隔をＤ1とし、前記第１及び第２のパターンの万線を形成する多数の直線の幅をＷ2、直線間の間隔をＤ2としたとき、Ｗ1＝２Ｗ2、Ｄ1＝２Ｄ2であることを特徴としている。
【０００９】
また、請求項５の発明は、請求項１〜４の偽造防止カードにおいて、前記第１の印刷層と前記第２の印刷層の厚み方向の間隔が０．２０〜０．８４ｍｍであることを特徴としている。
【００１０】
また、請求項６の発明は、請求項１〜５の偽造防止カードにおいて、前記コア層の裏面側に隠蔽層が設けられ、この隠蔽層の裏面側に前記第２の印刷層が裏面印刷層と同一面内に位置するように設けられたことを特徴としている。
【００１１】
【発明の実施の形態】
以下、本発明の具体的な実施形態を図面を参照しながら説明する。図１は本発明の一実施形態である偽造防止カードを表面側から見た図、図２は図１の偽造防止カードの概略構造を示す断面模式図、図３は図１の偽造防止カードの要部縦断面図、図４〜図６は図１の偽造防止カードの作用の説明図である。
【００１２】
この偽造防止カードは磁気カードであって、図１に示すように、表面に磁気ストライプＳが設けられている。図２に示すように、このカードは、透明または半透明の二枚の樹脂シート１ａ、１ｂから成るコア層１と、その表面側に積層され、透明または半透明の樹脂から成る第１のオーバーシート層２と、コア層１の裏面側に積層され、透明または半透明の樹脂から成る第２のオーバーシート層３と、その裏面側に積層された隠蔽層４とを備えている。なお、図面では隠蔽層４は着色されていないが、実際は銀色等に着色されている。
【００１３】
コア層１、第１及び第２のオーバーシート層２、３を形成する樹脂の材質は特に限定されるものはないが、例えばポリ塩化ビニル樹脂やポリエステル樹脂等を用いることができる。また、これらの層の厚みは特に限定されるものではないが、本実施形態では、コア層１が０．５６ｍｍ、第１及び第２のオーバーシート層２、３が０．１０ｍｍとなっている。
【００１４】
コア層１と第１のオーバーシート層２の間には第１の印刷層５が設けられ、コア層１と第２のオーバーシート層３の間には第２の印刷層６が設けられている。第１及び第２の印刷層５、６は偽造防止のためのパターンを形成するもので、厚さ方向に重なり合うように配置されている。なお、第２の印刷層６は、アルファベットのＡの形状をした第１のパターンＰ1（図１（ｂ）参照）と、アルファベットのＤの形状をした第２のパターンＰ2（図１（ａ）参照）とから成っている。
【００１５】
第１の印刷層５、第１及び第２のパターンＰ1、Ｐ2は横方向に延びる万線により形成されている。すなわち、図３に示すように、第１の印刷層５は、横方向（図３の紙面に直交する方向）に延びる幅Ｗ1の多数の直線５ａから成り、これらは幅方向に間隔Ｄ1をおいて配置されている。一方、第１のパターンＰ1は、横方向に延びる幅Ｗ2の多数の直線６ａから成り、第２のパターンＰ2は、横方向に延びる幅Ｗ2の多数の直線６ｂから成り、これらは幅方向に間隔Ｄ2をおいて交互に配置されている。なお、Ｗ1＝２Ｗ2、Ｄ1＝２Ｄ2となっており、直線５ａ、６ａ、６ｂは、５ａと６ａがカードの厚さ方向に重なり合い、５ａと６ｂが重なり合わないように配置されている。なお、第１、第２の印刷層５、６は透過性の無い黒又は顔料系のインキで形成するのが良い。
【００１６】
隠蔽層４は、カードリーダ・ライタの光センサがカードを検知するために設けられたもので、印刷等により形成される。本実施形態では隠蔽層４がカードの全面に亘って設けられているが、少なくとも光センサで検知される部分に設けられていればよい。また、隠蔽層４の裏面側には裏面印刷層７が設けられており、この裏面印刷層７は、カードの発行会社名、注意書き等の情報を含んでいる。
【００１７】
なお、第２の印刷層６を裏面印刷層７と同一面内に位置するように隠蔽層４の裏面側に設けるとともに、第２の印刷層６をカードの表面側から視認できるように隠蔽層４に透明または半透明の抜き部を設けるようにしてもよい。このようにすると、裏面印刷７と第２の印刷層６を同一工程で形成できるため、工程数が低減し、製造コストが低減する。カードには、その厚さ方向に、その表面からのエンボス加工により、氏名、カード番号等の個人情報が形成される。
【００１８】
次に、上記のように構成された偽造防止カードの作用を説明する。
このカードを表面側からカード表面に対して垂直な方向（図３の矢印Ａ方向）に観察すると、第１のパターンＰ1を形成する直線６ａが第１の印刷層５を形成する直線５ａと完全に重なり合うため、第１のパターンＰ1は視認されない。一方、第２のパターンＰ2を形成する直線６ｂは直線５ａと重なり合わないため、第２のパターンＰ2は視認される（図１（ａ）参照）。この状態は、Ａ方向から図３の左方向に１０゜ずらしたＢ方向（図４参照）とＡ方向との間の範囲（すなわち、８０゜〜９０゜の角度範囲）で維持される。
【００１９】
また、Ｂ方向から左方向に１０゜ずらしたＣ方向（図５参照）とＢ方向との間の範囲（７０゜〜８０゜の角度範囲）で視認した場合には、直線６ａ、６ｂがそれぞれ一部ずつ直線５ａと重なり合うため、第１のパターンＰ1と第２のパターンＰ2がそれぞれ一部ずつ視認される。そして、Ｃ方向から左方向に１０゜ずらしたＤ方向（図６参照）とＣ方向との間の範囲（６０゜〜７０゜の角度範囲）で視認した場合には、直線６ｂが直線５ａとほぼ完全に重なり合い、直線６ａは直線５ａとほとんど重なり合わないため、第１のパターンＰ1は視認されるが第２のパターンＰ2は視認されない（図１（ｂ）参照）。
【００２０】
このカードを複写機やスキャナを用いて偽造した場合、直線５ａとカードの厚さ方向に重なり合う直線６ａを写し取ることができないため、偽造されたカードでは、上記のように視線方向を変化させても第１のパターンＰ1が出現せず、また、第２のパターンＰ2が消えないため、本物ではないことを容易に識別することができる。
【００２１】
第１及び第２の印刷層５、６はオフセット印刷やシルク印刷等により形成することができ、このカードはホログラムによるパターンを有するカードよりも安価に製造することができる。
【００２２】
なお、第１の印刷層５を形成する直線５ａの幅は０．１５〜０．２５ｍｍ程度が好ましい。これは、０．１５ｍｍより小さいと、インキの盛り量の正確な制御が困難になるとともに、一つのパターンが見える角度範囲が狭くなるからであり、０．２５ｍｍより大きいと、外観が悪くなるとともに、パターンが見えにくくなるためパターンを認識しやすい単純な形状のものとしなければならないからである。
【００２３】
なお、上記実施形態では、第１、第２の印刷層を多数の同じ幅の線を幅方向に一定間隔で配置した万線により形成した場合について説明したが、第１、第２の印刷層を網点により形成するようにしてもよい。網点とは、図７に示すように、多数の同じ径の点Ｐを格子点状に配置したものである。ここで「格子点状に配置」とは、横方向に一定間隔をおいて平行に延びる多数の縦線Ｌ1（仮想線）と縦方向に一定間隔をおいて平行に延びる多数の横線Ｌ2（仮想線）との交点上に配置することをいう。なお、各パターンの網点の点の径は第１の印刷層の網点の点の径よりも小さくする。
【００２４】
また、本実施形態ではパターンの個数が２個の場合について説明したが、３個以上でも良い。
その他にも、本発明の要旨を逸脱しない範囲で上記実施形態に種々の変形を施すことができる。
【００２５】
【発明の効果】
以上説明したように本発明の偽造防止カードは、複写機やスキャナによる偽造を効果的に防止することができるとともに安価に製造することができる。
【００２６】
また、請求項６の偽造防止カードによれば、隠蔽層の裏面側に第２の印刷層を裏面印刷層と同一面内に位置するように設けるようにしたことにより、第２の印刷層と裏面印刷層を一工程で形成することができるため、製造コストが低減する。
【図面の簡単な説明】
【図１】  本発明の一実施形態である偽造防止カードを表面側から見た図。
【図２】  図１の偽造防止カードの概略構造を示す断面模式図。
【図３】  図１の偽造防止カードの要部縦断面図。
【図４】  図１の偽造防止カードの作用の説明図。
【図５】  図１の偽造防止カードの作用の説明図。
【図６】  図１の偽造防止カードの作用の説明図。
【図７】  本発明の他の実施形態の説明図。
【符号の説明】
１    コア層
４    隠蔽層
５    第１の印刷層
６    第２の印刷層
Ｐ1   第１のパターン
Ｐ2   第２のパターン
７  裏面印刷層
【図１】
0004742463.tif 000002
【図２】
0004742463.tif 000003
【図３】
0004742463.tif 000004
【図４】
0004742463.tif 000005
【図５】
0004742463.tif 000006
【図６】
0004742463.tif 000007
【図７】
0004742463.tif 000008